(57)【要約】【課題】撮像素子のサイズが小さく且つ電子ビューファインダの表示素子が表示解像度の低いものであっても正確かつ容易に焦点状態が確認できる電子カメラを提供する。【解決手段】電子カメラ１００は撮影被写界光の一部を位相差方式焦点検出ユニットに撮影レンズ１０２によって結像された撮影被写界光のピントがどれ位ずれているかをいわゆるデフォーカス量として検出する。表示部１０８の表示面１３０における中央部に焦点状態表示領域１３１を設定し、さらに焦点調節表示領域１３１を上下２分割した上領域１３１ａ、下領域１３１ｂを設定し、デフォーカス量ｄから表示をずらす画素数ｓを算出して、上領域１３１ａ、下領域１３１ｂの境界でｓ画素分だけ被写体像をずらして表示する。【選択図】      図１
2004212891.tif 000002
【特許請求の範囲】
【請求項１】
撮影レンズによって結像した被写体像を光電変換して生成した撮影信号に基づいて画像を表示するとともに画像を記憶する電子カメラにおいて、
前記撮影信号に基づいた前記被写体像を表示面に表示する前記表示手段と、
前記撮影レンズを通じて得られる前記被写体像の２つの同一像のずれ量を検出し、当該ずれ量から前記被写体像の焦点状態を検出する焦点検出手段とを備え、
前記表示手段の表示面を複数の領域に分割し、前記焦点状態に基づいて前記被写体像を前記複数の領域の各境界で相対的にずらして表示することを特徴とする電子カメラ。
【発明の詳細な説明】
【０００１】
【発明の属する技術分野】
本発明は、撮影レンズによって結像した被写体像を光電変換して生成した撮影信号に基づいて画像を表示するとともに画像を記憶する電子カメラに関する。
【０００２】
【従来の技術】
従来より、撮影被写界像を電気的に記録媒体に記録する電子スチルカメラ、ビデオカメラが提案され、商品化されている。これらのカメラにおいては、撮影被写界像は撮影レンズによってＣＣＤ等の撮像素子上に結像される。この結像された被写界像は該撮像素子によって画像信号に変換されて、ビデオテープ、フラッシュメモリ等の記録媒体に記録される。また、画像信号に変換された被写界像を液晶等の画面に表示してファインダ表示する、いわゆる電子ビューファインダを有する電子カメラも多く存在する。
【０００３】
【発明が解決しようとする課題】
しかしながら、上記のような従来の電子ビューファインダを有した電子カメラにおいては、被写界像のピント合わせ、あるいはピント確認という観点から、以下に述べる２つの問題を抱えている。
【０００４】
第１の問題は、製品コストを抑えるため、あるいは電子カメラ本体のＣＰＵにかかる負担を増大させないために、電子ビューファインダに用いられる表示素子に充分な画素数の素子が搭載されておらず（数万から２０万画素程度にとどまっている）、このため、表示された被写界像をユーザーが目視して被写界にピントが合っているか否かの確認、つまり合焦状態の確認をするためには表示素子の表示解像力が不充分なことである。
【０００５】
第２の問題は、電子カメラに用いられているＣＣＤ等の撮像素子の大きさが対角で１／３から１インチ強であり、銀塩フィルムカメラの画面の数分の１と小さい。この結果、被写界深度が深くなっており、相対的に撮影レンズで合わせた被写界像のピントのピークがわかりにくい場合があることである。
【０００６】
本発明の目的は、撮像素子のサイズが小さく且つ電子ビューファインダの表示素子が表示解像度の低いものであっても正確かつ容易に焦点状態が確認できる電子カメラを提供することにある。
【０００７】
【課題を解決するための手段】
上記目的を達成するために請求項１記載の電子カメラは、撮影レンズによって結像した被写体像を光電変換して生成した撮影信号に基づいて画像を表示するとともに画像を記憶する電子カメラにおいて、前記撮影信号に基づいた前記被写体像を表示面に表示する前記表示手段と、前記撮影レンズを通じて得られる前記被写体像の２つの同一像のずれ量を検出し、当該ずれ量から前記被写体像の焦点状態を検出する焦点検出手段とを備え、前記表示手段の表示面を複数の領域に分割し、前記焦点状態に基づいて前記被写体像を前記複数の領域の各境界で相対的にずらして表示することを特徴とする。
【０００８】
【発明の実施の形態】
以下、図面を参照しながら本発明の実施の形態を詳細に説明する。
【０００９】
図１は、本発明の実施の形態に係る撮像装置の構成の概略を示す断面図である。
【００１０】
本発明の実施の形態に係る撮像装置は、以下、電子カメラに適用される。
【００１１】
電子カメラ１００はＣＰＵ（中央演算処理装置）１０１によって制御される。電子カメラ１００は撮影レンズ１０２を備えている。この撮影レンズ１０２は複数のレンズからなるレンズ群であるが、図面上は１枚の撮像レンズ１０２として示してある。この撮像レンズ１０２は撮影被写界光を集光して、撮像素子であるＣＣＤ（ｃｈａｒｇｅ  ｃｏｕｐｌｅｄ  ｄｅｖｉｃｅ）１０３上に結像させる。
【００１２】
撮像レンズ１０２を通過した撮影被写界光が撮像レンズ１０２からＣＣＤ１０３に至る光路（撮影光路）上には、光を透過させると同時に光の一部を反射させる半透過ミラー１０４が配設されている。撮影被写界光は、その一部が半透過ミラー１０４によって反射されて、公知の位相差方式焦点検出ユニット（焦点検出手段）に導かれる。
【００１３】
この位相差方式焦点検出ユニットは半透過ミラー１０４の下方に配設されており、半透過ミラー１０４に近い方から順に配置されたフィールドレンズ１０５、２次結合レンズ１０６、及び焦点検出用のＣＣＤラインセンサ１０７（以下、焦点検出用ＣＣＤ１０７）から構成されている。この位相差方式焦点検出ユニットは、撮影レンズ１０２によって結像された撮影被写界光のピントがＣＣＤ１０３の受光面１０３ａに対してどの方向に、どれ位ずれているかをいわゆるデフォーカス量として検出できる。
【００１４】
半透過ミラー１０４の上方にはＴＦＴカラー液晶からなる表示部１０８（表示手段）が配設されている。この表示部１０８の表示面１３０（図５参照）には、撮影レンズ１０２によってＣＣＤ１０３に導かれた撮影被写界像が光電変換処理された後に表示される。表示された撮影被写界像は接眼レンズ１０９によって光学的に拡大されるので、撮影者が容易に撮影被写界を見ることが可能である。これらはＥＶＦファインダ（Ｅｌｅｃｔｒｏｎｉｃ  Ｖｉｅｗ  Ｆｉｎｄｅｒ）を構成している。
【００１５】
このように電子カメラ１００は、常時撮影被写界光をＣＣＤ１０３に導くことによって、ＥＶＦファインダとして撮影者は撮影被写界を観察できるとともに、撮影光路上に配設された半透過ミラー１０４によって常時位相差方式の焦点検出が可能である。
【００１６】
図２は、図１の電子カメラ１００の概略構成を示す電気ブロック図である。
【００１７】
ＣＰＵ１０１には、制御プログラムを記憶しているＲＯＭ（リードオンリーメモリ）１１１、ＲＡＭ（ランダムアクセスメモリ）１１２、データ格納手段１１３、画像処理部１１４、ＬＣＤ制御部１１５、シャッターＳＷ１１６、電源を供給するためのＤＣ／ＤＣコンバータ１１７がそれぞれ接続され、ＤＣ／ＤＣコンバータ１１７には電池１１８から電源が供給される。画像処理部１１４にはＣＣＤ制御部１１９、さらにＣＣＤ１０３が接続されている。ＣＣＤ１０３は有効画素数約４９２万画素（２５６０×１９２０）を有している。ＬＣＤ制御部１１５には表示駆動部１２１、さらに表示部１０８が接続されている。
【００１８】
ＣＰＵ１０１はＲＯＭ１１１内の制御プログラムに基づいて各種制御を行う。これらの制御の中には、画像処理部１１４から出力された撮影画像信号を読み込み、ＲＡＭ１１２へＤＭＡ転送（Ｄｉｒｅｃｔ  Ｍｅｍｏｒｙ  Ａｃｃｅｓｓ  ｔｒａｎｓｆｅｒ）を行う処理、同様にＲＡＭ１１２からＬＣＤ（Ｌｉｑｕｉｄ  Ｃｒｙｓｔａｌ  Ｄｉｓｐｌａｙ）制御部１１５へデータをＤＭＡ転送する処理、また、画像データをＪＰＥＧ圧縮してファイル形式でデータ格納手段１１３へ格納する処理等がある。
【００１９】
さらにＣＰＵ１０１は、ＣＣＤ１０３、ＣＣＤ制御部１１９、画像処理部１１４、ＬＣＤ制御部１１５などに対してデータ取り込み画素数やデジタル画像処理の変更指示を行う。
【００２０】
焦点検出用ＣＣＤ１０７は上述した焦点検出用の一対のＣＣＤラインセンサであり、焦点検出用ＣＣＤ制御部１２０は焦点検出用ＣＣＤ１０７から得た電圧をＡ／Ｄ変換し、ＣＰＵ１０１に送る。またＣＰＵ１０１の指示の基に、焦点検出用ＣＣＤ制御部１２０は焦点検出用ＣＣＤ１０７の蓄積時間とＡＧＣ（Ａｕｔｏ  Ｇａｉｎ  Ｃｏｎｔｒｏｌ：オートゲインコントロール）の制御も行う。
【００２１】
ＣＰＵ１０１は、シャッターＳＷ１１６の操作に伴う撮影動作の指示、さらに、各素子への電源１１８の供給をコントロールするための制御信号を、ＤＣ／ＤＣコンバータ１１７に対して出力する処理等の制御の基に行われる。
【００２２】
ＲＡＭ１１２は画像展開エリア１１２ａ、ワークエリア１１２ｂ、ＶＲＡＭ１１２ｃ、一時退避エリア１１２ｄを備えている。画像展開エリア１１２ａは、画像処理部１１４より送られてきた撮影画像（ＹＵＶデジタル信号）やデータ格納手段１１３から読み出されたＪＰＥＧ圧縮画像データを一時的に格納するためのテンポラリバッファとして使用される。また、画像圧縮処理、解凍処理の際に画像専用ワークエリアとして使用される。
【００２３】
ワークエリア１１２ｂは各種プログラムのためのワークエリアである。ＶＲＡＭ１１２ｃは表示部１０８に表示する表示データを格納するＶＲＡＭとして使用される。また、一時退避エリア１１２ｄは各種データを一時退避させるためのエリアである。
【００２４】
データ格納手段１１３は、ＣＰＵ１０１によりＪＰＥＧ圧縮された撮影画像データ、あるいはアプリケーションにより参照される各種付属データ等をファイル形式で格納しておくためのフラッシュメモリである。
【００２５】
撮像レンズ１０２は被写界像を光学的にＣＣＤ１０３（光電変換素子）へ投影するために上述のように複数枚のレンズで構成されており、ＣＣＤ１０３は撮像レンズ１０２によって投影された撮影画像をアナログ電気信号に変換する。
【００２６】
このＣＣＤ１０３は、ＣＰＵ１０１よりの解像度変換指示に従って、水平方向および垂直方向の間引き画素データの出力が可能である。ＣＣＤ制御部１１９は、ＣＣＤ１０３に転送クロック信号やシャッター信号を供給するためのタイミングジェネレータ、ＣＣＤ出力信号のノイズ除去、ゲイン処理を行うための回路、さらに、アナログ信号を１０ビットデジタル信号に変換するためのＡ／Ｄ変換回路、また同様に、ＣＰＵ１０１からの解像度変換指示に従って、画素間引き処理を行うための回路等を含んでいる。
【００２７】
また、画像処理部１１４は、ＣＣＤ制御部１１９から出力された１０ビットデジタル信号をガンマ変換、色空間変換、また、ホワイトバランス、ＡＥ（Ａｕｔｏｍａｔｉｃ  Ｅｘｐｏｓｕｒｅ）、フラッシュ補正等の画像処理を行って、ＹＵＶ（４：２：２）フォーマットの８ビットデジタル信号出力を行うものである。これら、撮像レンズ１０２、ＣＣＤ１０３、ＣＣＤ制御部１１９、画像処理部１１４が撮像のための主要部を構成している。
【００２８】
ＬＣＤ制御部１１５は、画像処理部１１４から転送されたＹＵＶデジタル画像データ、あるいはデータ格納手段１１３の中の画像ファイルに対してＪＰＥＧの解凍を行ったＹＵＶデジタル画像データを受け取り、ＲＧＢデジタル信号へ変換した後に表示駆動部１２１へ出力する処理を行う。表示駆動部１２１は表示部１０８を駆動するための制御を行う。表示部１０８は画像を表示するためのＱＶＧＡ（Ｑｕａｒｔｅｒ  ｓｉｚｅ  Ｖｉｄｅｏ  Ｇｒａｐｈｉｃｓ  Ａｒｒａｙ）規格（３２０×２４０ドット）のＴＦＴ液晶表示装置であり、撮影者が接眼レンズ１０９（図１参照）を通して、表示部１０８に表示された被写界像を見ることにより電子カメラの構図を決めることのできる電子ビューファインダ（以降ＥＶＦと称する）となっている。これらＬＣＤ制御部１１５、表示駆動部１２１、表示部１０８が表示のための主要部を構成している。
【００２９】
なおＥＶＦ表示用に、ＣＣＤ１０３の有効画素２５６０×１９２０の画像情報を３２０×２４０画素に間引いて取込む１／６４（横１／８×縦１／８）間引きモードが設定されており、１／６４間引きモードで取込まれた画像は、１秒間に６０フレーム更新（いわゆるフレームレート）にてＥＶＦに画像表示がなされる。
【００３０】
シャッターＳＷ１１６は、撮影動作の開始を指示するためのシャッターである。このシャッターＳＷ１１６はスイッチの押下圧によって２段階のスイッチポジションが有り、１段目のポジション（ＳＷ１ＯＮ）の検出で、ホワイトバランス、ＡＥ等のカメラ設定のロック動作が行われ、２段目のポジション（ＳＷ２ＯＮ）の検出で、被写界画像信号の取り込み動作が行われる。
【００３１】
電池１１８はリチャーチャブルの２次電池あるいは乾電池である。また、ＤＣ／ＤＣコンバータ１１７は電池１１８から電源供給を受け、昇圧、レギュレーションを行うことにより複数の電源を作り出し、ＣＰＵ１０１を初めとする各素子に必要な電圧の電源を供給している。このＤＣ／ＤＣコンバータ１１７はＣＰＵ１０１からの制御信号Ｓにより、各々の電源供給の開始、停止を制御する。
【００３２】
図３は、位相差方式焦点検出ユニットの焦点検出原理を説明する図であり、（ａ）は合焦状態を示し、（ｂ）は前ピントの状態を示し、（ｃ）は後ピントとの状態を示す。
【００３３】
（ａ）に示す合焦状態では、撮影レンズ１０２の異なる２つの瞳を透過してきた撮影被写界光の光束１ａ，１ｂが１次結像面Ａで結像し、１次結像面Ａ上の被写界像は２次結像レンズ１０６ａ，１０６ｂによって、それぞれ２組のラインセンサが配置されるセンサ面Ｂ上に２つの同一像として再結像する。ここで、フィールドレンズ１０５は撮影レンズ１０２の１次結像面Ａの近傍に配置され、所定の像高の光束を効率良くセンサ面Ｂに導き、像高の増加に伴って発生する光量低下を防止する。
【００３４】
一般的に、撮影レンズ１０２の異なる瞳を透過してくる２つの光束１ａ，１ｂを規定するのは２次結像レンズ１０６ａ，１０６ｂの直前あるいは直後に配置される不図示の絞りであり、撮影レンズ１０２に瞳分割を行うような部材は設けられていない。合焦状態にある２つの同一像の相対的な位置間の距離（位相差）をＤ０とすると、Ｄ０と実際に与えられた位相差の差から、そのときのデフォーカス量とその方向がわかる。
【００３５】
（ｂ）は、デフォーカス量ｄ１だけ前ピントとなったときの状態を示し、２つの同一像の位相差Ｄ１（ずれ量）は合焦状態の場合の位相差Ｄ０よりも小さくなり、ｄ１が大きくなれば「Ｄ０−Ｄ１」も大きくなる。
【００３６】
（ｃ）は、デフォーカス量ｄ２だけ後ピントとなったときの状態を示し、２つの同一像の位相差Ｄ２（ずれ量）は合焦状態の場合の位相差Ｄ０よりも大きくなる。ｄ２が大きくなると「Ｄ２−Ｄ０」の値も大きくなる。このようにして、センサ面Ｂ上に結像した２つの同一像の位相差（ずれ量）を検出することによって、撮影レンズの焦点状態すなわち、デフォーカス量の大きさとその方向を検出することができる。
【００３７】
ここで、センサ面Ｂ上での像ズレ量（Ｄ−Ｄ０）をＰとおくと、デフォーカス量ｄと像ズレ量Ｐとの関係は、２つの係数Ｋ、Ｇによって以下の式で表すことができる。
【００３８】
Ｋ・Ｐ＝ｄ／｛１＋（ｄ／Ｇ）｝
Ｋは２次結像光学系の倍率と瞳の位置とから決定し、Ｇはフィールドレンズ１０５の焦点距離とフィールドレンズ１０５から絞りまでの距離とによって決まる定数である。
【００３９】
なお、ｄの単位はｍｍ、Ｐはセンサ画素ピッチになるので画素数（ピクセル）であり、従って、Ｋの単位はｍｍ／ピクセル、Ｇの単位はｍｍになる。
【００４０】
上記の式から算出されるデフォーカス量ｄに対して、撮影レンズ１０２本体のレンズ駆動敏感度（レンズ固有の制御の細かさ）を考慮して、ＣＰＵ１０１は図１に示した撮影レンズ駆動制御部１１０に撮影レンズ１０２を駆動させるための駆動量パルスを送り、撮影レンズ駆動制御部１１０は送られてきたパルスに応じて不図示のパルスモータを駆動させ、撮影レンズ１０２を合焦位置に駆動させることにより自動焦点調節を行う。
【００４１】
また後述するように、本実施の形態では上記デフォーカス量ｄに基づいて、被写界像のピントのずれ量をＥＶＦの表示部１０８に表示することが可能である。これにより、撮影者は表示部１０８に表示された被写界像のピントのずれ具合を観察し、撮影レンズ１０２本体の距離環（不図示）を操作するいわゆる手動焦点調節によって、自動焦点調節の補助的なピント調整を行うことができる。また、移動被写体に滑らかにピントを追従さたりする等のために、自動焦点調節を最初から使用せずに表示部１０８を観察しながら手動焦点調節を行うことも可能である。
【００４２】
次に図４、図５の（ａ）及び（ｂ）を用いて電子カメラの焦点状態表示について説明する。
【００４３】
図４は、焦点調節状態をＥＶＦの表示部１０８に表示する表示方法を示すフローチャートである。図５は、表示部１０８の中央部に表示される画像を例示する図であり、（ａ）は合焦でない状態の画像を例示し、（ｂ）は合焦状態の画像を例示する。
【００４４】
先ず、最初に電子カメラ１００が焦点調節状態をＥＶＦの表示部１０８に表示する焦点状態表示モードに設定されているか否かを判別する（ステップＳ４００）。ここで焦点調節表示モードに設定がなされていない場合には、上記した１／６４間引きモードでＣＣＤ１０３から取込まれた画像信号を３２０×２４０ドットの表示部１０８全体に表示する通常のＥＶＦ表示（通常表示）を行う（ステップＳ４０５）。
【００４５】
一方、電子カメラ１００が焦点状態表示モードに設定されている場合には、図５の（ａ）及び（ｂ）に示すように表示部１０８の表示面１３０における中央部に６０×８０ドットの焦点状態表示領域１３１を設定し、なおかつ焦点調節表示領域１３１を縦方向に４０ドットずつ上下２分割した上領域１３１ａ、下領域１３１ｂが設定される（ステップＳ４０１）。
【００４６】
次に上記の位相差方式焦点検出ユニットから得られた現在の焦点状態を示すデフォーカス量の値をＣＰＵ１０１から受け取る（ステップＳ４０２）。
【００４７】
つづいてステップＳ２０２で得られたデフォーカス量ｄから表示をずらす画素数（表示ずらし量）ｓを以下の式にて算出する（ステップＳ４０３）。
【００４８】
ｓ＝ｈ・ｄ／Ｆ・δ
ここでδは最小錯乱円径であり、撮像素子１０３の対角サイズが２４×３６ｍｍである場合は、０．０３ｍｍとしている。またＦは撮影レンズ１０２の開放Ｆナンバーであり、ｈはずらし量の敏感度を決める係数である。
【００４９】
ステップＳ４０３にて表示ずらし画素数ｓが算出されると、図５の（ａ）に示すように焦点状態表示領域１３１に対応するＣＣＤ１０３から取込まれた画像信号に基づいて、ステップＳ４０１で設定した焦点状態表示領域１３１の上領域１３１ａと下領域１３１ｂに上下２分割した画像を焦点状態表示領域１３１の縦方向中心線を対称の中心として上領域１３１ａと下領域１３１ｂとの境界で左右方向（相対的に）にｓ画素分だけずらした表示を行う。
【００５０】
一例を挙げると、デフォーカス量ｄ＝０．１２ｍｍ、撮影レンズの開放Ｆｎｏ．＝２．０、δ＝０．０３ｍｍ、ずらし量敏感度ｈ＝４の場合、上式から表示ずらし画素数ｓ＝８が算出できる。
【００５１】
もちろん、上式の係数ｈを撮影者が変更可能にしてもよい。この場合、例えば大きい値を設定すればより敏感度の高い焦点状態表示を行うことが可能であるが、その分、デフォーカスの度合が大きいときの焦点状態表示領域の表示像が上下の領域で大きくずれることで上領域１３１ａと下領域１３１ｂとに表示されるべき画像情報が少なくなり見難い表示となることがあるので注意が必要である。
【００５２】
なお、本実施の形態では表示部１０８の中央部を焦点状態表示領域１３１とし、この領域１３１を上領域１３１ａと下領域１３１ｂとに上下２分割して焦点状態表示を行う例を説明したが、図６の（ａ）に示すように表示部１０８の全体を上下２分割して上領域１３１ｃと下領域１３１ｄとする表示を行ったり、図６の（ｂ）に示すように表示部１０８の中央部を上下左右に４分割した領域１３１ｅ乃至１３１ｈを設定して各々を相対的にずらして表示することも可能である。また、焦点状態表示領域１３１をさらに多数の領域に分割してもよい。
【００５３】
以上説明したように、本実施の形態に係る撮像装置よって被写界の焦点調節状態を撮影者に分かりやすく、正確にＥＶＦの表示部１０８に表示でき、手動焦点調節、あるいは自動焦点調節時における補助的な手動焦点調節を行って撮影を行う際に有効な機能を果たすものである。
【００５４】
また、本発明は、上述した実施の形態の機能を実現するソフトウェアのプログラム（図４のフローチャート）をコンピュータ又はＣＰＵに供給し、そのコンピュータ又はＣＰＵが該供給されたプログラムを読出して実行することによって、達成することができる。
【００５５】
この場合、上記プログラムは、該プログラムを記録した記憶媒体から直接供給されるか、又はインターネット、商用ネットワーク、若しくはローカルエリアネットワーク等に接続される不図示の他のコンピュータやデータベース等からダウンロードすることにより供給される。
【００５６】
上記プログラムの形態は、オブジェクトコード、インタプリタにより実行されるプログラムコード、ＯＳ（オペレーティングシステム）に供給されるスクリプトデータ等の形態から成ってもよい。
【００５７】
本実施態様の例を以下に列挙する。
【００５８】
〔実施態様１〕  撮影レンズによって結像した被写体像を光電変換して生成した撮影信号に基づいて画像を表示するとともに画像を記憶する電子カメラにおいて、前記撮影信号に基づいた前記被写体像を表示面に表示する前記表示手段と、前記撮影レンズを通じて得られる前記被写体像の２つの同一像のずれ量を検出し、当該ずれ量から前記被写体像の焦点状態を検出する焦点検出手段とを備え、前記表示手段の表示面を複数の領域に分割し、前記焦点状態に基づいて前記被写体像を前記複数の領域の各境界で相対的にずらして表示することを特徴とする。
【００５９】
〔実施態様２〕  前記表示手段は電子ビューファインダであることを特徴とする実施態様１記載の電子カメラ。
【００６０】
〔実施態様３〕  前記複数の領域は、前記表示面を上下に分割した２つの領域であることを特徴とする実施形態１又は２記載の電子カメラ。
【００６１】
〔実施態様４〕  前記複数の領域は、前記表示面を上下左右に分割した４つの領域であることを特徴とする実施形態１又は２記載の電子カメラ。
【００６２】
〔実施態様５〕  撮影レンズによって結像した被写体像を光電変換して生成した撮影信号に基づいて画像を表示するとともに画像を記憶する電子カメラの表示方法であって、前記撮影信号に基づいた前記被写体像を表示面に表示する前記表示ステップと、前記撮影レンズを通じて得られる前記被写体像の２つの同一像のずれ量を検出し、当該ずれ量から前記被写体像の焦点状態を検出する焦点検出ステップとを備え、前記表示ステップにおいて、前記表示面を複数の領域に分割し、前記焦点状態に基づいて前記被写体像を前記複数の領域の各境界で相対的にずらすことを特徴とする。
【００６３】
〔実施態様６〕  撮影レンズによって結像した被写体像を光電変換して生成した撮影信号に基づいて画像を表示するとともに画像を記憶する電子カメラの表示方法を実行させるプログラムであって、前記撮影信号に基づいた前記被写体像を表示面に表示する前記表示モジュールと、前記撮影レンズを通じて得られる前記被写体像の２つの同一像のずれ量を検出し、当該ずれ量から前記被写体像の焦点状態を検出する焦点検出モジュールと、前記表示モジュールの実行において、前記表示面を複数の領域に分割し、前記焦点状態に基づいて前記被写体像を前記複数の領域の各境界で相対的にずらすモジュールとを有することを特徴とするプログラム。
【００６４】
【発明の効果】
以上詳細に説明したように、請求項１の電子カメラによれば、焦点検出手段が撮像レンズを通じて得られる被写体象の２つの同一像のずれ量から被写体像の焦点状態を検出し、表示手段の複数の領域に分割した表示画面に被写体像を焦点状態に基づいて複数の領域の各境界線で相対的にずらして表示するので、焦点状態を容易に確認できる。このため、撮像素子のサイズが小さく且つ表示手段であるいわゆる電子ビューファインダの表示素子が表示解像度の低いものであっても正確かつ容易に焦点状態が確認できることとなる。
【図面の簡単な説明】
【図１】本発明の実施の形態に係る撮像装置の構成の概略を示す断面図である。
【図２】図１の電子カメラ１００の概略構成を示す電気ブロック図である。
【図３】位相差方式焦点検出ユニットの焦点検出原理を説明する図であり、（ａ）は合焦状態を示し、（ｂ）は前ピントの状態を示し、（ｃ）は後ピントとの状態を示す。
【図４】焦点調節状態をＥＶＦの表示部１０８に表示する表示方法を示すフローチャートである。
【図５】表示部１０８の中央部に表示される画像を例示する図であり、（ａ）は合焦でない状態の画像を例示し、（ｂ）は合焦状態の画像を例示する。
【図６】表示部１０８に表示される画像を例示する図であり、（ａ）は表示部１０８の全体を上下２分割して上領域１３１ｃと下領域１３１ｄとした場合の合焦でない状態の画像を例示し、（ｂ）は表示部１０８の中央部を上下左右に４分割した領域１３１ｅ乃至１３１ｈを設定した場合の合焦でない状態の画像を例示する。
【符号の説明】
１００  電子カメラ
１０２  撮影レンズ
１０５  フィールドレンズ
１０６  ２次結合レンズ
１０７  焦点検出用ＣＣＤ
１０８  表示部
１２０  焦点検出用ＣＣＤ制御部
１３０  表示面
１３１ａ，１３１ｂ，１３１ｃ，１３１ｄ，１３１ｅ，１３１ｆ，１３１ｇ，１３１ｈ  領域
【図１】
2004212891.tif 000003
【図２】
2004212891.tif 000004
【図３】
2004212891.tif 000005
【図４】
2004212891.tif 000006
【図５】
2004212891.tif 000007
【図６】
2004212891.tif 000008